(57)【要約】【課題】母線保護継電装置を用いることなく母線事故から電力系統を保護することができる母線保護継電システムを提供する。【解決手段】母線保護継電システムは、母線Ｇに接続された複数の回線Ｌa〜Ｌm，Ｌ1〜ＬNにそれぞれ設置された、かつ、複数の回線Ｌa〜Ｌm，Ｌ1〜ＬNにそれぞれ流れる事故電流Ｉa〜Ｉm，Ｉ1〜ＩNに関する事故電流情報Ｓa〜Ｓm，Ｓ1〜ＳNをそれぞれ生成する複数の回線保護継電器１０a〜１０m，１０1〜１０Nと、複数の回線保護継電器１０a〜１０m，１０1〜１０Nから入力される事故電流情報Ｓa〜Ｓm，Ｓ1〜ＳNに基づいて母線Ｇにおける事故を検出すると、複数の回線Ｌa〜Ｌm，Ｌ1〜ＬNにそれぞれ設置された複数の遮断器４a〜４m，４1〜４Nを遮断させるように複数の回線保護継電器１０a〜１０m，１０1〜１０Nに指示する母線保護装置２０とを具備する。【選択図】図１
2011182547.tif 000002
【特許請求の範囲】
【請求項１】
母線事故から電力系統を保護するための母線保護継電システムであって、
母線（Ｇ）に接続された複数の回線（Ｌa〜Ｌm，Ｌ1〜ＬN）にそれぞれ設置された、かつ、該複数の回線にそれぞれ流れる事故電流（Ｉa〜Ｉm，Ｉ1〜ＩN）に関する事故電流情報（Ｓa〜Ｓm，Ｓ1〜ＳN）をそれぞれ生成する複数の回線保護継電器（１０a〜１０m，１０1〜１０N）と、
該複数の回線保護継電器から入力される前記事故電流情報に基づいて前記母線における事故を検出すると、前記複数の回線にそれぞれ設置された複数の遮断器を遮断させるように該複数の回線保護継電器に指示する母線保護装置（２０）と、
を具備することを特徴とする、母線保護継電システム。
【請求項２】
前記母線保護装置が、
前記複数の回線保護継電器から入力される前記事故電流情報に基づいて前記母線における事故を検出すると母線事故検出信号を生成する母線事故検出部（２２）と、
該母線事故検出部から前記母線事故検出信号が入力されるとトリップ指令信号（ＳTR）を生成し、該生成したトリップ指令信号を前記複数の回線保護継電器に送信するトリップ指令生成部（２３）と、
を備えることを特徴とする、請求項１記載の母線保護継電システム。
【請求項３】
前記回線保護継電器が、
前記母線保護装置から前記トリップ指令信号を受け取ると、該回線保護継電器が設置された回線に設置された遮断器を遮断させる回線トリップ信号（Ｔa〜Ｔm，Ｔ1〜ＴN）を生成し、該生成した回線トリップ信号を該遮断器に送信する回線トリップ信号送信手段（１３a〜１３m，１３1〜１３N）と、
該回線保護継電器が設置された回線に流れる事故電流（Ｉa〜Ｉm，Ｉ1〜ＩN）の方向に関する事故電流情報（Ｓa〜Ｓm，Ｓ1〜ＳN）を生成し、該生成した事故電流情報を前記母線保護装置に送信する電流方向決定部（１４a〜１４m，１４1〜１４N）と、
を備えることを特徴とする、請求項２記載の母線保護継電システム。
【請求項４】
前記電流方向決定部が、前記回線保護継電器が設置された回線に流れる事故電流が内部方向事故電流検出用整定値以上の正の事故電流であるか外部方向事故電流検出用整定値以下の負の事故電流であると、該事故電流の向きを示す前記事故電流情報を生成することを特徴とする、請求項３記載の母線保護継電システム。
【請求項５】
背後に電源が接続されていない回線に設置された前記回線保護継電器においては、前記事故電流情報の代わりに、該回線保護継電器において事故が検出されなかった旨を示す不動作情報を前記母線保護装置に出力し、
前記母線保護装置が備える前記母線事故検出部が、前記背後に電源が接続されていない回線に設置された回線保護継電器から入力される前記不動作情報と該背後に電源が接続されていない回線に設置された回線保護継電器以外の回線保護継電器から入力される前記事故電流情報とに基づいて、前記母線における事故を検出する、
ことを特徴とする、請求項２乃至４いずれかに記載の母線保護継電システム。
【請求項６】
前記複数の回線保護継電器が、該複数の回線保護継電器がそれぞれ設置された複数の回線にそれぞれ流れる事故電流の電流値を示す事故電流値情報を前記母線保護装置に出力し、
前記母線保護装置が備える前記母線事故検出部が、前記複数の回線保護継電器から入力される前記事故電流値情報に基づいて前記複数の回線にそれぞれ流れる事故電流の電流値の総和を求め、該求めた事故電流の電流値の総和が“０”でないことも条件に含めて前記母線事故検出信号を生成する、
ことを特徴とする、請求項２乃至５いずれかに記載の母線保護継電システム。
【請求項７】
前記複数の回線保護継電器が、電源（１）から前記母線に電力を供給する電源線（ＬA1，ＬA2）に設置された電源線距離継電器（３０A1，３０A2）と、背後に電源が接続されていない負荷線（ＬL）に設置された負荷線過電流継電器（４０L）と、前記母線から分岐された複数の送電線（ＬB，ＬC）にそれぞれ設置された複数の送電線距離継電器（３０B，３０C）とを含むことを特徴とする、請求項５または６記載の母線保護継電システム。
【請求項８】
前記複数の回線保護継電器が、電源（１）から前記母線に電力を供給する電源線（ＬA1，ＬA2）に設置された電源線地絡方向継電器（５０A1，５０A2）と、背後に電源が接続されていない負荷線（ＬL）に設置された負荷線地絡過電流継電器（６０L）と、前記母線から分岐された複数の送電線（ＬB，ＬC）にそれぞれ設置された複数の送電線地絡方向継電器（５０B，５０C）とを含むことを特徴とする、請求項５または６記載の母線保護継電システム。
【発明の詳細な説明】
【技術分野】
【０００１】
本発明は、母線保護継電システムに関し、特に、電気所構内の母線事故から電力系統を保護するのに好適な母線保護継電システムに関する。
【背景技術】
【０００２】
従来、電力会社では、電気所構内の母線事故に対して、キルヒホッフの第１法則を利用した電流差動方式に基づいて母線保護継電装置によって母線事故を検出することにより、事故箇所の切離しを最小限の影響範囲で行っている（たとえば、下記の特許文献１参照）。
このとき、図７に示すように、従来の母線保護継電システムでは、図８に示す送電線保護継電システムにおいて第１乃至第Ｍの電源線Ｌa〜Ｌmおよび第１乃至第Ｎの線路Ｌ1〜ＬNを事故から保護するために使用されている第１乃至第Ｍの電源線変流器３a〜３mおよび第１乃至第Ｎの変流器３1〜３Nとは別途に、第１乃至第Ｍの電源線母線事故専用変流器２a〜２mおよび第１乃至第Ｎの母線事故専用変流器２1〜２Nを第１乃至第Ｍの電源線Ｌa〜Ｌmおよび第１乃至第Ｎの線路Ｌ1〜ＬNに設置して、母線保護継電装置１２０によって第１乃至第Ｍの電源線母線事故専用変流器２a〜２mから入力される第１乃至第Ｍの電源線事故電流Ｉa〜Ｉmおよび第１乃至第Ｎの母線事故専用変流器２1〜２Nから入力される第１乃至第Ｎの線路事故電流Ｉ1〜ＩNに基づいて第１乃至第Ｍの電源線Ｌa〜Ｌmおよび第１乃至第Ｎの線路Ｌ1〜ＬNに発生した事故を検出している。
【０００３】
なお、本出願人らは、下記の特許文献２において、電力系統の母線に接続される回線の電流を検出し、母線事故を検出する保護装置に事故継続の時に（すなわち、後備保護を行う時に）事故と思われる回線を各種の方法で優先的に選択して遮断する機能を付加することにより、事故継続時間を短縮するとともに停電範囲を狭くして系統の復旧を容易にする保護継電装置を提案している。
【先行技術文献】
【特許文献】
【０００４】
【特許文献１】特開平１１−３４６４３３号公報
【特許文献２】特開２００４−２９７９６８号公報
【発明の概要】
【発明が解決しようとする課題】
【０００５】
しかしながら、上述した母線保護継電装置１２０は母線に接続された各回線（第１乃至第Ｍの電源線Ｌa〜Ｌmおよび第１乃至第Ｎの線路Ｌ1〜ＬN）の電流要素を用いて母線事故を検出するため、図８に示した第１乃至第Ｍの電源線変流器３a〜３mおよび第１乃至第Ｎの変流器３1〜３Nとは別途に図７に示した第１乃至第Ｍの電源線母線事故専用変流器２a〜２mおよび第１乃至第Ｎの母線事故専用変流器２1〜２Nを各回線に設置する必要があるとともに、第１乃至第Ｍの電源線母線事故専用変流器２a〜２mおよび第１乃至第Ｎの母線事故専用変流器２1〜２Nから母線保護継電装置１２０まで制御ケーブルを布設する必要がある。
そのため、電気所構内の母線事故は影響度が大きい割には事故の発生頻度が稀であり、また、母線保護継電装置１２０も高価なものであることから、母線保護継電装置１２０は、すべての電気所において設置されておらず、母線事故による停電の影響が大きい電気所においてのみ設置されているという問題があった。
【０００６】
本発明の目的は、母線保護継電装置を用いることなく母線事故から電力系統を保護することができる母線保護継電システムを提供することにある。
【課題を解決するための手段】
【０００７】
本発明の母線保護継電システムは、母線事故から電力系統を保護するための母線保護継電システムであって、母線（Ｇ）に接続された複数の回線（Ｌa〜Ｌm，Ｌ1〜ＬN）にそれぞれ設置された、かつ、該複数の回線にそれぞれ流れる事故電流（Ｉa〜Ｉm，Ｉ1〜ＩN）に関する事故電流情報（Ｓa〜Ｓm，Ｓ1〜ＳN）をそれぞれ生成する複数の回線保護継電器（１０a〜１０m，１０1〜１０N）と、該複数の回線保護継電器から入力される前記事故電流情報に基づいて前記母線における事故を検出すると、前記複数の回線にそれぞれ設置された複数の遮断器を遮断させるように該複数の回線保護継電器に指示する母線保護装置（２０）とを具備することを特徴とする。
ここで、前記母線保護装置が、前記複数の回線保護継電器から入力される前記事故電流情報に基づいて前記母線における事故を検出すると母線事故検出信号を生成する母線事故検出部（２２）と、該母線事故検出部から前記母線事故検出信号が入力されるとトリップ指令信号（ＳTR）を生成し、該生成したトリップ指令信号を前記複数の回線保護継電器に送信するトリップ指令生成部（２３）とを備えてもよい。
前記回線保護継電器が、前記母線保護装置から前記トリップ指令信号を受け取ると、該回線保護継電器が設置された回線に設置された遮断器を遮断させる回線トリップ信号（Ｔa〜Ｔm，Ｔ1〜ＴN）を生成し、該生成した回線トリップ信号を該遮断器に送信する回線トリップ信号送信手段（１３a〜１３m，１３1〜１３N）と、該回線保護継電器が設置された回線に流れる事故電流（Ｉa〜Ｉm，Ｉ1〜ＩN）の方向に関する事故電流情報（Ｓa〜Ｓm，Ｓ1〜ＳN）を生成し、該生成した事故電流情報を前記母線保護装置に送信する電流方向決定部（１４a〜１４m，１４1〜１４N）とを備えてもよい。
前記電流方向決定部が、前記回線保護継電器が設置された回線に流れる事故電流が内部方向事故電流検出用整定値以上の正の事故電流であるか外部方向事故電流検出用整定値以下の負の事故電流であると、該事故電流の向きを示す前記事故電流情報を生成してもよい。
背後に電源が接続されていない回線に設置された前記回線保護継電器においては、前記事故電流情報の代わりに、該回線保護継電器において事故が検出されなかった旨を示す不動作情報を前記母線保護装置に出力し、前記母線保護装置が備える前記母線事故検出部が、前記背後に電源が接続されていない回線に設置された回線保護継電器から入力される前記不動作情報と該背後に電源が接続されていない回線に設置された回線保護継電器以外の回線保護継電器から入力される前記事故電流情報とに基づいて、前記母線における事故を検出してもよい。
前記複数の回線保護継電器が、該複数の回線保護継電器がそれぞれ設置された複数の回線にそれぞれ流れる事故電流の電流値を示す事故電流値情報を前記母線保護装置に出力し、
前記母線保護装置が備える前記母線事故検出部が、前記複数の回線保護継電器から入力される前記事故電流値情報に基づいて前記複数の回線にそれぞれ流れる事故電流の電流値の総和を求め、該求めた事故電流の電流値の総和が“０”でないことも条件に含めて前記母線事故検出信号を生成してもよい。
前記複数の回線保護継電器が、電源（１）から前記母線に電力を供給する電源線（ＬA1，ＬA2）に設置された電源線距離継電器（３０A1，３０A2）と、背後に電源が接続されていない負荷線（ＬL）に設置された負荷線過電流継電器（４０L）と、前記母線から分岐された複数の送電線（ＬB，ＬC）にそれぞれ設置された複数の送電線距離継電器（３０B，３０C）とを含んでもよい。
前記複数の回線保護継電器が、電源（１）から前記母線に電力を供給する電源線（ＬA1，ＬA2）に設置された電源線地絡方向継電器（５０A1，５０A2）と、背後に電源が接続されていない負荷線（ＬL）に設置された負荷線地絡過電流継電器（６０L）と、前記母線から分岐された複数の送電線（ＬB，ＬC）にそれぞれ設置された複数の送電線地絡方向継電器（５０B，５０C）とを含んでもよい。
【発明の効果】
【０００８】
本発明の母線保護継電システムは、以下に示す効果を奏する。
（１）複数の回線保護継電器によって生成される事故電流情報に基づいて母線事故の発生を検出すると各回線に設置されている遮断器を各回線保護継電器に遮断させることにより、母線保護継電装置を用いることなく母線事故から電力系統を保護することができる。
（２）母線保護継電装置を用いる必要がないので、母線事故専用変流器を各回線に設置する必要をなくすことができるとともに、母線事故専用変流器から母線保護継電装置まで制御ケーブルを布設する必要もなくすことができる。
【図面の簡単な説明】
【０００９】
【図１】本発明の一実施例による母線保護継電システムの構成を示す図である。
【図２】図１に示した第１の電源線保護継電器１０aの構成を示すブロック図である。
【図３】図１に示した第１の線路保護継電器１０1の構成を示すブロック図である。
【図４】図１に示した母線保護装置２０の構成を示すブロック図である。
【図５】図４に示した母線事故検出部２２における母線短絡事故の検出方法を説明するための図である。
【図６】図４に示した母線事故検出部２２における母線地絡事故の検出方法を説明するための図である。
【図７】従来の母線保護継電システムの構成を示す図である。
【図８】従来の送電線保護継電システムの構成を示す図である。
【発明を実施するための形態】
【００１０】
上記目的を、母線保護装置が、母線に接続された複数の回線にそれぞれ設置されている複数の回線保護継電器によって生成された各回線の事故電流情報に基づいて母線事故の発生を検出すると、各回線に設置されている遮断器を各回線保護継電器に遮断させることにより実現した。
【実施例１】
【００１１】
以下、本発明の母線保護継電システムの実施例について、図面を参照して説明する。
本発明の一実施例による母線保護継電システムは、図１に示すように、第１乃至第Ｍの電源１a〜１mから母線Ｇに電力を供給する第１乃至第Ｍの電源線Ｌa〜Ｌm（回線）にそれぞれ設置された第１乃至第Ｍの電源線保護継電器１０a〜１０m（回線保護継電器）と、母線Ｇから分岐された第１乃至第Ｎの線路Ｌ1〜ＬN（回線）にそれぞれ設置された第１乃至第Ｎの線路保護継電器１０1〜１０N（回線保護継電器）と、第１乃至第Ｍの電源線保護継電器１０a〜１０mおよび第１乃至第Ｎの線路保護継電器１０1〜１０Nに接続された母線保護装置２０とを具備する。
【００１２】
第１の電源線保護継電器１０aは、図２に示すように、入力変換器１１aと、アナログ入力部１２aと、リレー演算処理部１３aと、電流方向決定部１４aと、整定・表示部１５aと、入出力部１６aと、外部機器インターフェース部（外部機器Ｉ／Ｆ部）１７aとを備える。
【００１３】
入力変換器１１aは、第１の電源線Ｌaに設置された第１の電源線変流器３a（図１参照）から入力される第１の電源線事故電流Ｉaおよび母線Ｇに設置された計器用変圧器５から入力される母線事故電圧ＶGのレベルをアナログ入力部１２aの処理に適したレベルに変換する。
アナログ入力部１２aは、バンドパスフィルタとサンプリングホールド回路とマルチプレクサ回路とアナログ／ディジタル変換器とを備え、入力変換器１１aから入力されるアナログの第１の電源線事故電流Ｉaおよび母線事故電圧ＶGをディジタルの第１の電源線事故電流Ｉaおよび母線事故電圧ＶGに変換する。
【００１４】
リレー演算処理部１３aは、アナログ入力部１２aから入力されるディジタルの第１の電源線事故電流Ｉaおよび／または母線事故電圧ＶGと第１の電源線事故検出用整定値とに基づいて第１の電源線Ｌaにおける事故（短絡事故や地絡事故）を検出すると、第１の電源線Ｌaに設置された第１の電源線遮断器４a（図１参照）を遮断するための第１の電源線トリップ信号Ｔaを生成し、生成した第１の電源線トリップ信号Ｔaを入出力部１６aおよび外部機器インターフェース部１７aを介して第１の電源線遮断器４aに送信する。
また、リレー演算処理部１３aは、外部機器インターフェース部１７aおよび入出力部１６aを介して母線保護装置２０から後述するトリップ指令信号ＳTRを受け取ると、第１の電源線トリップ信号Ｔaを生成し、生成した第１の電源線トリップ信号Ｔaを入出力部１６aおよび外部機器インターフェース部１７aを介して第１の電源線遮断器４aに送信する。
【００１５】
電流方向決定部１４aは、アナログ入力部１２aから入力されるディジタルの第１の電源線事故電流Ｉaの極性が正（すなわち、内部方向（母線Ｇから第１の電源１aへ向かう方向）の第１の電源線事故電流Ｉa）である場合には、第１の電源線事故電流Ｉaが第１の内部方向電源線事故電流検出用整定値以上になると第１の電源線事故電流Ｉaに関する情報（以下、「第１の電源線事故電流情報Ｓa」と称する。）を生成する。また、電流方向決定部１４aは、アナログ入力部１２aから入力されるディジタルの第１の電源線事故電流Ｉaの極性が負（すなわち、外部方向（第１の電源１aから母線Ｇへ向かう方向）の第１の電源線事故電流Ｉa）である場合には、第１の電源線事故電流Ｉaが第１の外部方向電源線事故電流検出用整定値以下になると第１の電源線事故電流情報Ｓaを生成する。電流方向決定部１４aは、生成した第１の電源線事故電流情報Ｓaを入出力部１６aおよび外部機器インターフェース部１７aを介して母線保護装置２０に送信する。
ここで、第１の外部方向電源線事故電流検出用整定値は第１の内部方向電源線事故電流検出用整定値の極性を反転した値としてもよい。
【００１６】
整定・表示部１５aは、第１の電源線事故検出用整定値、第１の内部方向電源線事故電流検出用整定値および第１の外部方向電源線事故電流検出用整定値を整定するためのリレー整定処理を行うとともに、整定した第１の事故検出用整定値、第１の内部方向電源線事故電流検出用整定値および第１の外部方向電源線事故電流検出用整定値などを外部に表示する。
【００１７】
第２乃至第Ｍの電源線保護継電器１０b〜１０mは、第１の電源線保護継電器１０aと同様に構成されている。
【００１８】
第１の線路保護継電器１０1（図１参照）は、図３に示すように、入力変換器１１1と、アナログ入力部１２1と、リレー演算処理部１３1と、電流方向決定部１４1と、整定・表示部１５1と、入出力部１６1と、外部機器インターフェース部（外部機器Ｉ／Ｆ部）１７1とを備える。
【００１９】
入力変換器１１1は、第１の線路Ｌ1に設置された第１の変流器３1（図１参照）から入力される第１の線路事故電流Ｉ1および計器用変圧器５から入力される母線事故電圧ＶGのレベルをアナログ入力部１２1の処理に適したレベルに変換する。
アナログ入力部１２1は、バンドパスフィルタとサンプリングホールド回路とマルチプレクサ回路とアナログ／ディジタル変換器とを備え、入力変換器１１1から入力されるアナログの第１の線路事故電流Ｉ1および母線事故電圧ＶGをディジタルの第１の線路事故電流Ｉ1および母線事故電圧ＶGに変換する。
【００２０】
リレー演算処理部１３1は、アナログ入力部１２1から入力されるディジタルの第１の線路事故電流Ｉ1および／または母線事故電圧ＶGと第１の線路事故検出用整定値とに基づいて第１の線路Ｌ1における事故（短絡事故や地絡事故）を検出すると、第１の線路Ｌ1に設置された第１の遮断器４1（図１参照）を遮断するための第１の線路トリップ信号Ｔ1を生成し、生成した第１の線路トリップ信号Ｔ1を入出力部１６1および外部機器インターフェース部１７1を介して第１の遮断器４1に送信する。
また、リレー演算処理部１３1は、外部機器インターフェース部１７1および入出力部１６1を介して母線保護装置２０からトリップ指令信号ＳTRを受け取ると、第１の線路トリップ信号Ｔ1を生成し、生成した第１の線路トリップ信号Ｔ1を入出力部１６1および外部機器インターフェース部１７1を介して第１の遮断器４1に送信する。
【００２１】
電流方向決定部１４1は、アナログ入力部１２1から入力されるディジタルの第１の線路事故電流Ｉ1の極性が正（すなわち、内部方向（母線Ｇから第１の線路Ｌ1の末端へ向かう方向）の第１の線路事故電流Ｉ1）である場合には、第１の線路事故電流Ｉ1が第１の内部方向線路事故電流検出用整定値以上になると第１の線路事故電流Ｉ1に関する情報（以下、「第１の線路事故電流情報Ｓ1」と称する。）を生成する。また、電流方向決定部１４1は、アナログ入力部１２1から入力されるディジタルの第１の線路事故電流Ｉ1の極性が負（すなわち、外部方向（第１の線路Ｌ1の末端から母線Ｇへ向かう方向）の第１の線路事故電流Ｉ1）である場合には、第１の線路事故電流Ｉ1が第１の外部方向線路事故電流検出用整定値以下になると第１の線路事故電流情報Ｓ1を生成する。電流方向決定部１４1は、生成した第１の線路事故電流情報Ｓ1を入出力部１６1および外部機器インターフェース部１７1を介して母線保護装置２０に送信する。
ここで、第１の外部方向線路事故電流検出用整定値は第１の内部方向線路事故電流検出用整定値の極性を反転した値としてもよい。
【００２２】
整定・表示部１５1は、第１の線路事故検出用整定値、第１の内部方向線路事故電流検出用整定値および第１の外部方向線路事故電流検出用整定値を整定するためのリレー整定処理を行うとともに、整定した第１の線路事故検出用整定値、第１の内部方向線路事故電流検出用整定値および第１の外部方向線路事故電流検出用整定値などを外部に表示する。
【００２３】
第２乃至第Ｎの線路保護継電器１０2〜１０Nは、第１の線路保護継電器１０1と同様に構成されている。
【００２４】
母線保護装置２０は、図４に示すように、外部機器インターフェース部（外部機器Ｉ／Ｆ部）２１と、母線事故検出部２２と、トリップ指令生成部２３とを備える。
【００２５】
母線事故検出部２２は、第１乃至第Ｍの電源線保護継電器１０a〜１０mから外部機器インターフェース部２１を介して入力される第１乃至第Ｍの電源線事故電流情報Ｓa〜Ｓmと第１乃至第Ｎの線路保護継電器１０1〜１０Nから外部機器インターフェース部２１を介して入力される第１乃至第Ｎの線路事故電流情報Ｓ1〜ＳNとに基づいて母線Ｇにおける事故（母線事故）を検出すると、母線事故検出信号をトリップ指令生成部２３に出力する。
【００２６】
トリップ指令生成部２３は、母線事故検出部２２から母線事故検出信号が入力されるとトリップ指令信号ＳTRを生成し、生成したトリップ指令信号ＳTRを第１乃至第Ｍの電源線保護継電器１０a〜１０mと第１乃至第Ｎの線路保護継電器１０1〜１０Nとに外部機器インターフェース部２１を介して送信する。
【００２７】
次に、母線保護装置２０の母線事故検出部２２において母線短絡事故を検出する方法について、図５に示す電力系統を例に説明する。
この電力系統では、母線Ｇには、電源１から母線Ｇに電力を供給する平衡２回線送電線であるＡ線１Ｌ（以下、「第１の電源線ＬA1」と称する。）およびＡ線２Ｌ（以下、「第２の電源線ＬA2」と称する。）と、背後に電源が接続されていない負荷線ＬLと、背後に電源（背後電源７）が接続された送電線であるＢ線ＬBと、背後に電源が接続されていない送電線であるＣ線ＬCとが接続されている。
【００２８】
第１の電源線ＬA1（Ａ線１Ｌ）には、第１の電源線ＬA1に設置された第１の電源線変流器３A1から入力される第１の電源線短絡事故電流ＩA1と母線Ｇに設置された計器用変圧器５1から入力される母線事故電圧ＶGとに基づいて算出したインピーダンスが第１の電源線短絡事故検出用整定値以上になると、第１の電源線ＬA1において短絡事故が発生したと判定して、第１の電源線ＬA1に設置された第１の電源線遮断器４A1を遮断させる第１の電源線トリップ信号ＴA1を第１の電源線遮断器４A1に出力する第１の電源線距離継電器（ＤＺ）３０A1が設置されている。
第１の電源線距離継電器３０A1は、第１の内部方向電源線短絡事故電流検出用整定値以上の極性が正の第１の電源線短絡事故電流ＩA1が入力されるか第１の外部方向電源線短絡事故電流検出用整定値以下の極性が負の第１の電源線短絡事故電流ＩA1が入力されると、第１の電源線短絡事故電流ＩA1に関する事故電流情報（以下、「第１の電源線事故電流情報ＳA1」と称する。）を生成して、生成した第１の電源線事故電流情報ＳA1を母線保護装置２０に送信する。
なお、第１の内部方向電源線短絡事故電流検出用整定値は第１の電源線短絡事故検出用整定値と同じ値とし、また、第１の外部方向電源線短絡事故電流検出用整定値は第１の内部方向電源線短絡事故電流検出用整定値の極性を反転した値としてもよい。
【００２９】
第２の電源線ＬA2（Ａ線２Ｌ）には、第２の電源線ＬA2に設置された第２の電源線変流器３A2から入力される第２の電源線短絡事故電流ＩA2と計器用変圧器５1から入力される母線事故電圧ＶGとに基づいて算出したインピーダンスが第２の電源線短絡事故検出用整定値以上になると、第２の電源線ＬA2において短絡事故が発生したと判定して、第２の電源線ＬA2に設置された第２の電源線遮断器４A2を遮断させる第２の電源線トリップ信号ＴA2を第２の電源線遮断器４A2に出力する第２の電源線距離継電器（ＤＺ）３０A2が設置されている。
第２の電源線距離継電器３０A2は、第２の内部方向電源線短絡事故電流検出用整定値以上の極性が正の第２の電源線短絡事故電流ＩA2が入力されるか第２の外部方向電源線短絡事故電流検出用整定値以下の極性が負の第２の電源線短絡事故電流ＩA2が入力されると、第２の電源線短絡事故電流ＩA2に関する事故電流情報（以下、「第２の電源線事故電流情報ＳA2」と称する。）を生成して、生成した第２の電源線事故電流情報ＳA2を母線保護装置２０に送信する。
なお、第２の内部方向電源線短絡事故電流検出用整定値は第２の電源線短絡事故検出用整定値と同じ値とし、また、第２の外部方向電源線短絡事故電流検出用整定値は第２の内部方向電源線短絡事故電流検出用整定値の極性を反転した値としてもよい。
【００３０】
負荷線ＬLには、負荷線ＬLに設置された負荷線変流器３Lから入力される負荷線短絡事故電流ＩLが負荷線短絡事故検出用整定値以上になると、負荷線ＬLにおいて短絡事故が発生したと判定して、負荷線ＬLに設置された負荷線遮断器４Lを遮断させる負荷線トリップ信号ＴLを負荷線遮断器４Lに出力する負荷線過電流継電器（ＯＣ）４０Lが設置されている。
負荷線過電流継電器４０Lは、内部方向負荷線短絡事故電流検出用整定値以上の負荷線短絡事故電流ＩLが入力されると、負荷線短絡事故電流ＩLに関する事故電流情報（以下、「負荷線事故電流情報ＳL」と称する。）を生成して、生成した負荷線事故電流情報ＳLを母線保護装置２０に送信する。
【００３１】
Ｂ線ＬBには、Ｂ線ＬBに設置されたＢ線変流器３Bから入力されるＢ線短絡事故電流ＩBと計器用変圧器５1から入力される母線事故電圧ＶGとに基づいて算出したインピーダンスがＢ線短絡事故検出用整定値以上であると、Ｂ線ＬBにおいて短絡事故が発生したと判定して、Ｂ線ＬBに設置されたＢ線遮断器４Bを遮断させるＢ線トリップ信号ＴBをＢ線遮断器４Bに出力するＢ線距離継電器（ＤＺ）３０Bが設置されている。
Ｂ線距離継電器３０Bは、内部方向Ｂ線短絡事故電流検出用整定値以上の極性が正のＢ線短絡事故電流ＩBが入力されるか外部方向Ｂ線短絡事故電流検出用整定値以下の極性が負のＢ線短絡事故電流ＩBが入力されると、Ｂ線短絡事故電流ＩBに関する事故電流情報（以下、「Ｂ線事故電流情報ＳB」と称する。）を生成して、生成したＢ線事故電流情報ＳBを母線保護装置２０に送信する。
なお、外部方向Ｂ線短絡事故電流検出用整定値は内部方向Ｂ線短絡事故電流検出用整定値の極性を反転した値としてもよい。
【００３２】
Ｃ線ＬCには、Ｃ線ＬCに設置されたＣ線変流器３Cから入力されるＣ線短絡事故電流ＩCと計器用変圧器５1から入力される母線事故電圧ＶGとに基づいて算出したインピーダンスがＣ線短絡事故検出用整定値以上であると、Ｃ線ＬCにおいて短絡事故が発生したと判定して、Ｃ線ＬCに設置されたＣ線遮断器４Cを遮断させるＣ線トリップ信号ＴC2をＣ線遮断器４Cに出力するＣ線距離継電器（ＤＺ）３０Cが設置されている。
Ｃ線距離継電器３０Cは、内部方向Ｃ線短絡事故電流検出用整定値以上の極性が正のＣ線短絡事故電流ＩCが入力されるか外部方向Ｃ線短絡事故電流検出用整定値以下の極性が負のＣ線短絡事故電流ＩCが入力されると、Ｃ線短絡事故電流ＩCに関する事故電流情報（以下、「Ｃ線事故電流情報ＳC」と称する。）を生成して、生成したＣ線事故電流情報ＳCを母線保護装置２０に送信する。
なお、外部方向Ｃ線短絡事故電流検出用整定値は内部方向Ｃ線短絡事故電流検出用整定値の極性を反転した値としてもよい。
【００３３】
母線保護装置２０は、第１の電源線距離継電器３０A1から入力される第１の電源線事故電流情報ＳA1（第１の電源線事故電流ＩA1の向きなどを示す情報）と第２の電源線距離継電器３０A2から入力される第２の電源線事故電流情報ＳA2（第２の電源線事故電流ＩA2の向きなどを示す情報）と負荷線過電流継電器４０Lから入力される負荷線事故電流情報ＳL（負荷線事故電流ＩLの動作などを示す情報）とＢ線距離継電器３０Bから入力されるＢ線事故電流情報ＳB（Ｂ線事故電流ＩBの向きなどを示す情報）とＣ線距離継電器３０Cから入力されるＣ線事故電流情報ＳC（Ｃ線事故電流ＩCの向きなどを示す情報）とに基づいて母線Ｇにおける短絡事故を検出すると、母線事故検出信号を生成する。
【００３４】
すなわち、第１の電源線ＬA1、第２の電源線ＬA2、負荷線ＬL、Ｂ線ＬB、Ｃ線ＬCおよび母線Ｇのいずれかにおいて短絡事故が発生した場合には、表１に示すような各事故電流の向きを示す第１の電源線事故電流情報ＳA1、第２の電源線事故電流情報ＳA2、負荷線事故電流情報ＳL、Ｂ線事故電流情報ＳBおよびＣ線事故電流情報ＳCが母線保護装置２０に入力される。
【表１】
2011182547.tif 000003
【００３５】
したがって、母線保護装置２０の母線事故検出部２２（図４参照）は、「第１の電源線事故電流ＩA1の向きが外部方向である」ことを示す第１の電源線事故電流情報ＳA1が第１の電源線距離継電器３０A1から入力され、「第２の電源線事故電流ＩA2の向きが外部方向である」ことを示す第２の電源線事故電流情報ＳA2が第２の電源線距離継電器３０A2から入力され、「Ｂ線事故電流ＩBの向きが外部方向である」ことを示すＢ線事故電流情報ＳBがＢ線距離継電器３０Bから入力されるとともに、負荷線事故電流情報ＳLおよびＣ線事故電流情報ＳCが負荷線過電流継電器４０LおよびＣ線距離継電器３０Cから入力されてこない場合には、母線Ｇに短絡事故が発生したと判定して、母線事故検出信号を生成する。
【００３６】
これにより、トリップ指令信号ＳTRが母線保護装置２０のトリップ指令生成部２３において生成されたのちに第１の電源線距離継電器３０A1、第２の電源線距離継電器３０A2、負荷線過電流継電器４０L、Ｂ線距離継電器３０BおよびＣ線距離継電器３０Cに外部機器インターフェース部２１を介して送信される。その結果、第１の電源線トリップ信号ＴA1、第２の電源線トリップ信号ＴA2、負荷線トリップ信号ＴL、Ｂ線トリップ信号ＴBおよびＣ線トリップ信号ＴCが第１の電源線距離継電器３０A1、第２の電源線距離継電器３０A2、負荷線過電流継電器４０L、Ｂ線距離継電器３０BおよびＣ線距離継電器３０Cから第１の電源線遮断器４A1、第２の電源線遮断器４A2、負荷線遮断器４L、Ｂ線遮断器４BおよびＣ線遮断器４Cにそれぞれ出力されて、第１の電源線遮断器４A1、第２の電源線遮断器４A2、負荷線遮断器４L、Ｂ線遮断器４BおよびＣ線遮断器４Cが遮断される。
【００３７】
次に、母線保護装置２０の母線事故検出部２２において母線地絡事故を検出する方法について、図６に示す電力系統を例に説明する。
この電力系統では、図５に示した電力系統と同様に、母線Ｇには、電源１から母線Ｇに電力を供給する平衡２回線送電線であるＡ線１Ｌ（以下、「第１の電源線ＬA1」と称する。）およびＡ線２Ｌ（以下、「第２の電源線ＬA2」と称する。）と、背後に電源が接続されていない負荷線ＬLと、背後に電源（背後電源７）が接続された送電線であるＢ線ＬBと、背後に電源が接続されていない送電線であるＣ線ＬCとが接続されている。
【００３８】
第１の電源線ＬA1（Ａ線１Ｌ）には、第１の電源線ＬA1に設置された第１の電源線零相変流器９A1から入力される第１の電源線零相電流Ｉ0A1と母線Ｇに設置された接地形計器用変圧器５2から入力される零相電圧Ｖ0と第１の電源線地絡事故検出用整定値とに基づいて第１の電源線ＬA1における地絡事故を検出すると、第１の電源線ＬA1に設置された第１の電源線遮断器４A1を遮断させる第１の電源線トリップ信号ＴA1を第１の電源線遮断器４A1に出力する第１の電源線地絡方向継電器（ＤＧ）５０A1が設置されている。
第１の電源線地絡方向継電器５０A1は、第１の内部方向電源線零相電流検出用整定値以上の極性が正の第１の電源線零相電流Ｉ0A1が入力されるか第１の外部方向電源線零相電流検出用整定値以下の極性が負の第１の電源線零相電流Ｉ0A1が入力されると、第１の電源線零相電流Ｉ0A1に関する事故電流情報（以下、「第１の電源線事故電流情報ＳA1」と称する。）を生成して、生成した第１の電源線事故電流情報ＳA1を母線保護装置２０に送信する。
なお、第１の外部方向電源線零相電流検出用整定値は第１の内部方向電源線零相電流検出用整定値の極性を反転した値としてもよい。
【００３９】
第２の電源線ＬA2（Ａ線２Ｌ）には、第２の電源線ＬA2に設置された第２の電源線零相変流器９A2から入力される第２の電源線零相電流Ｉ0A2と接地形計器用変圧器５2から入力される零相電圧Ｖ0と第２の電源線地絡事故検出用整定値とに基づいて第２の電源線ＬA2における地絡事故を検出すると、第２の電源線ＬA2に設置された第２の電源線遮断器４A2を遮断させる第２の電源線トリップ信号ＴA2を第２の電源線遮断器４A2に出力する第２の電源線地絡方向継電器（ＤＧ）５０A2が設置されている。
第２の電源線地絡方向継電器５０A2は、第２の内部方向電源線零相電流検出用整定値以上の極性が正の第２の電源線零相電流Ｉ0A2が入力されるか第２の外部方向電源線零相電流検出用整定値以下の極性が負の電源線零相電流Ｉ0A2が入力されると、第２の電源線零相電流Ｉ0A2に関する事故電流情報（以下、「第２の電源線事故電流情報ＳA2」と称する。）を生成して、生成した第２の電源線事故電流情報ＳA2を母線保護装置２０に送信する。
なお、第２の外部方向電源線零相電流検出用整定値は第２の内部方向電源線零相電流検出用整定値の極性を反転した値としてもよい。
【００４０】
負荷線ＬLには、負荷線ＬLに設置された負荷線零相変流器９Lから入力される負荷線零相電流Ｉ0Lと接地形計器用変圧器５2から入力される零相電圧Ｖ0と負荷線地絡事故検出用整定値とに基づいて負荷線ＬLにおける地絡事故を検出すると、負荷線ＬLに設置された負荷線遮断器４Lを遮断させる負荷線トリップ信号ＴLを負荷線遮断器４Lに出力する負荷線地絡過電流継電器（ＯＣＧ）６０Lが設置されている。
負荷線地絡過電流継電器６０Lは、内部方向負荷線零相電流検出用整定値以上の極性が正の負荷線零相電流Ｉ0Lが入力されると、負荷線零相電流Ｉ0Lに関する事故電流情報（以下、「負荷線事故電流情報ＳL」と称する。）を生成して、生成した負荷線事故電流情報ＳLを母線保護装置２０に送信する。
【００４１】
Ｂ線ＬBには、Ｂ線ＬBに設置されたＢ線零相変流器９Bから入力されるＢ線零相電流Ｉ0Bと接地形計器用変圧器５2から入力される零相電圧Ｖ0とＢ線地絡事故検出用整定値とに基づいてＢ線における地絡事故を検出すると、Ｂ線に設置されたＢ線遮断器４Bを遮断させるＢ線トリップ信号ＴBをＢ線遮断器４Bに出力するＢ線地絡方向継電器（ＤＧ）５０Bが設置されている。
Ｂ線地絡方向継電器５０Bは、内部方向Ｂ線零相電流検出用整定値以上の極性が正のＢ線零相電流Ｉ0Bが入力されるか外部方向Ｂ線零相電流検出用整定値以下の極性が負のＢ線零相電流Ｉ0Bが入力されると、Ｂ線零相電流Ｉ0Bに関する事故電流情報（以下、「Ｂ線事故電流情報ＳB」と称する。）を生成して、生成したＢ線事故電流情報ＳBを母線保護装置２０に送信する。
なお、外部方向Ｂ線零相電流検出用整定値は内部方向Ｂ線零相電流検出用整定値の極性を反転した値としてもよい。
【００４２】
Ｃ線ＬCには、Ｃ線ＬCに設置されたＣ線零相変流器９Cから入力されるＣ線零相電流Ｉ0 Cと接地形計器用変圧器５2から入力される零相電圧Ｖ0とＣ線地絡事故検出用整定値とに基づいてＣ線における地絡事故を検出すると、Ｃ線に設置されたＣ線遮断器４Cを遮断させるＣ線トリップ信号ＴCをＣ線遮断器４Cに出力するＣ線地絡方向継電器（ＤＧ）５０Cが設置されている。
Ｃ線地絡方向継電器５０Cは、内部方向Ｃ線零相電流検出用整定値以上の極性が正のＣ線零相電流Ｉ0Cが入力されるか外部方向Ｃ線零相電流検出用整定値以下の極性が負のＣ線零相電流Ｉ0Cが入力されると、Ｃ線零相電流Ｉ0Cに関する事故電流情報（以下、「Ｃ線事故電流情報ＳC」と称する。）を生成して、生成したＣ線事故電流情報ＳCを母線保護装置２０に送信する。
なお、外部方向Ｃ線零相電流検出用整定値は内部方向Ｃ線零相電流検出用整定値の極性を反転した値としてもよい。
【００４３】
母線保護装置２０は、第１の電源線地絡方向継電器５０A1から入力される第１の電源線事故電流情報ＳA1（第１の電源線零相電流Ｉ0 A1の向きなどを示す情報）と第２の電源線地絡方向継電器５０A2から入力される第２の電源線事故電流情報ＳA2（第２の電源線零相電流Ｉ0A2の向きなどを示す情報）と負荷線地絡過電流継電器６０Lから入力される負荷線事故電流情報ＳL（負荷線零相電流Ｉ0Lの動作などを示す情報）とＢ線地絡方向継電器５０Bから入力されるＢ線事故電流情報ＳB（Ｂ線零相電流Ｉ0Bの向きなどを示す情報）とＣ線地絡方向継電器５０Cから入力されるＣ線事故電流情報ＳC（Ｃ線零相電流Ｉ0Cの向きなどを示す情報）とに基づいて母線Ｇにおける地絡事故を検出すると、母線事故検出信号を生成する。
【００４４】
すなわち、第１の電源線ＬA1、第２の電源線ＬA2、負荷線ＬL、Ｂ線ＬB、Ｃ線ＬCおよび母線Ｇのいずれかにおいて地絡事故が発生した場合には、表２に示すような各事故電流の向きを示す第１の電源線事故電流情報ＳA1、第２の電源線事故電流情報ＳA2、負荷線事故電流情報ＳL、Ｂ線事故電流情報ＳBおよびＣ線事故電流情報ＳCが母線保護装置２０に入力される。
【表２】
2011182547.tif 000004
【００４５】
したがって、母線保護装置２０の母線事故検出部２２（図４参照）は、「第１の電源線零相電流Ｉ0A1の向きが外部方向である」ことを示す第１の電源線事故電流情報ＳA1が第１の電源線地絡方向継電器５０A1から入力され、「第２の電源線零相電流Ｉ0A2の向きが外部方向である」ことを示す第２の電源線事故電流情報ＳA2が第２の電源線地絡方向継電器５０A2から入力され、「Ｂ線零相電流Ｉ0Bの向きが外部方向である」ことを示すＢ線事故電流情報ＳBがＢ線地絡方向継電器５０Bから入力され、Ｃ線事故電流情報ＳCおよび負荷線事故電流情報ＳLがＣ線地絡方向継電器５０Cおよび負荷線地絡過電流継電器６０Lから入力されてこない場合には、母線Ｇに地絡事故が発生したと判定して、母線事故検出信号を生成する。
【００４６】
これにより、トリップ指令信号ＳTRが母線保護装置２０のトリップ指令生成部２３において生成されたのちに第１の電源線地絡方向継電器５０A1、第２の電源線地絡方向継電器５０A2、負荷線地絡過電流継電器６０L、Ｂ線地絡方向継電器５０BおよびＣ線地絡方向継電器５０Cに外部機器インターフェース部２１を介して送信される。その結果、第１の電源線トリップ信号ＴA1、第２の電源線トリップ信号ＴA2、負荷線トリップ信号ＴL、Ｂ線トリップ信号ＴBおよびＣ線トリップ信号ＴCが第１の電源線地絡方向継電器５０A1、第２の電源線地絡方向継電器５０A2、負荷線地絡過電流継電器６０L、Ｂ線地絡方向継電器５０BおよびＣ線地絡方向継電器５０Cから第１の電源線遮断器４A1、第２の電源線遮断器４A2、負荷線遮断器４L、Ｂ線遮断器４BおよびＣ線遮断器４Cにそれぞれ出力されて、第１の電源線遮断器４A1、第２の電源線遮断器４A2、負荷線遮断器４L、Ｂ線遮断器４BおよびＣ線遮断器４Cが遮断される。
【００４７】
以上図５および図６を参照して示した例では、背後に電源が接続されていない負荷線ＬLおよびＣ線ＬCに設置された負荷線過電流継電器４０L、負荷線地絡過電流継電器６０L、Ｃ線距離継電器３０CおよびＣ線地絡方向継電器５０Cから負荷線事故電流情報ＳLおよびＣ線事故電流情報ＳCを母線保護装置２０に出力させたが、これらの回線保護継電器の不動作情報（たとえば、これらの回線保護継電器が備えるリレー演算処理部（図３に示したリレー演算処理部１３1参照）において事故が検出されなかった旨を示す情報（以下、「不動作情報」と称する。）を母線保護装置２０に出力させてもよい。
この場合には、たとえば図５に示した例では、母線保護装置２０の母線事故検出部２２（図４参照）は、「第１の電源線事故電流ＩA1の向きが外部方向である」ことを示す第１の電源線事故電流情報ＳA1が第１の電源線距離継電器３０A1から入力され、「第２の電源線事故電流ＩA2の向きが外部方向である」ことを示す第２の電源線事故電流情報ＳA2が第２の電源線距離継電器３０A2から入力され、「Ｂ線事故電流ＩBの向きが外部方向である」ことを示すＢ線事故電流情報ＳBがＢ線距離継電器３０Bから入力されるとともに、不動作情報が負荷線過電流継電器４０LおよびＣ線距離継電器３０Cから入力されてきたときに、母線Ｇに短絡事故が発生したと判定して、母線事故検出信号を生成する。
【００４８】
また、図５および図６を参照して示した例においてすべての回線保護継電器（第１の電源線距離継電器３０A1、第１の電源線地絡方向継電器５０A1、第２の電源線距離継電器３０A2、第２の電源線地絡方向継電器５０A2、負荷線過電流継電器４０L、負荷線地絡過電流継電器６０L、Ｂ線距離継電器３０B、Ｂ線地絡方向継電器５０B、Ｃ線距離継電器３０CおよびＣ線地絡方向継電器５０C）から事故電流の電流値を示す事故電流値情報を母線保護装置２０に出力させて、母線保護装置２０の母線事故検出部２２がすべての回線保護継電器からの事故電流値情報に基づいて事故電流の電流値の総和を求め、求めた事故電流の電流値の総和が“０”でないことも条件に含めて母線事故検出信号を生成するようにしてもよい。
【００４９】
以上の説明では、事故電流情報（たとえば、図１に示した第１乃至第Ｍの電源線事故電流情報Ｓa〜Ｓm、第１乃至第Ｎの線路事故電流情報Ｓ1〜ＳN）を母線保護装置２０に出力するか否かの判定に第１乃至第Ｍの内部方向電源線短絡事故電流検出用整定値および第１乃至第Ｍの外部方向電源線短絡事故電流検出用整定値などを設定したが、第１乃至第Ｍの内部方向電源線短絡事故電流検出用整定値および第１乃至第Ｍの外部方向電源線短絡事故電流検出用整定値などを設定しなくてもよい（すなわち、“０”としてもよい）。
また、図５を参照して示した例において、第１の電源線距離継電器３０A1で使用する第１の内部方向電源線短絡事故電流検出用整定値を第１の電源線短絡事故検出用整定値と同じ値としたが、第１の内部方向電源線短絡事故電流検出用整定値を第１の電源線短絡事故検出用整定値と異なる値としてもよい。負荷線過電流継電器４０Lで使用する内部方向負荷線短絡事故電流検出用整定値についても同様である。
【００５０】
図２に示した第１の電源線保護継電器１０aが母線保護装置２０からトリップ指令信号ＳTRを受け取ると、リレー演算処理部１３aが第１の電源線トリップ信号Ｔaを生成したが、リレー演算処理部１３aを第１の電源線Ｌaにおける事故検出専用とする場合には、第１の電源線トリップ信号Ｔaを生成する手段を別途設けてもよい。第２乃至第Ｍの電源線保護継電器１０2〜１０mおよび第１乃至第Ｎの線路保護継電器１０1〜１０Nについても同様である。
【００５１】
以上では単母線の場合について説明したが、母線が二重母線の場合には、母線保護装置２０のトリップ指令生成部２３（図４参照）が、二重母線に設置された断路器（ＬＳ）の入／切情報に基づいて指令対象となる回線保護継電器を選定し、選定した回線保護継電器にのみトリップ指令信号ＳTRを送信すればよい。
【符号の説明】
【００５２】
１  電源
１a〜１m  第１乃至第Ｍの電源
２a〜２m  第１乃至第Ｍの電源線母線事故専用変流器
２1〜２N  第１乃至第Ｎの母線専用変流器
３a〜３m  第１乃至第Ｍの電源線変流器
３1〜３N  第１乃至第Ｎの変流器
３A1，３A2  第１および第２の電源線変流器
３B  Ｂ線変流器
３C  Ｃ線変流器
３L  負荷線変流器
４a〜４m  第１乃至第Ｍの電源線遮断器
４1〜４N  第１乃至第Ｎの遮断器
４A1，４A2  第１および第２の電源線遮断器
４B  Ｂ線遮断器
４C  Ｃ線遮断器
４L  負荷線遮断器
５，５1  計器用変圧器
５2  接地形計器用変圧器
７  背後電源
９A1，９A2  第１および第２の電源線零相変流器
９B  Ｂ線零相変流器
９C  Ｃ線零相変流器
９L  負荷線零相変流器
１０a〜１０m  第１乃至第Ｍの電源線保護継電器
１０1〜１０N  第１乃至第Ｎの線路保護継電器
１１a，１１1  入力変換器
１２a，１２1  アナログ入力部
１３a，１３1  リレー演算処理部
１４a，１４1  電流方向決定部
１５a，１５1  整定・表示部
１６a，１６1  入出力部
１７a，１７1  外部機器インターフェース部（外部機器Ｉ／Ｆ部）
２０  母線保護装置
２１  外部機器インターフェース部（外部機器Ｉ／Ｆ部）
２２  母線事故検出部
２３  トリップ指令生成部
３０A1，３０A2  第１および第２の電源線距離継電器
３０B  Ｂ線距離継電器
３０C  Ｃ線距離継電器
４０L  負荷線過電流継電器
５０A1，５０A2  第１および第２の電源線地絡方向継電器
５０B  Ｂ線地絡方向継電器
５０C  Ｃ線地絡方向継電器
６０L  負荷線地絡過電流継電器
１２０  母線保護継電装置
Ｇ  母線
Ｌa〜Ｌm  第１乃至第Ｍの電源線
Ｌ1〜ＬN  第１乃至第Ｎの線路
ＬA1，ＬA2  第１および第２の電源線
ＬL  負荷線
ＬB  Ｂ線
ＬC  Ｃ線
Ｉa〜Ｉm  第１乃至第Ｍの電源線事故電流
Ｉ1〜ＩN  第１乃至第Ｎの線路事故電流
ＩA1，ＩA2  第１および第２の電源線短絡事故電流
ＩB  Ｂ線短絡事故電流
ＩC  Ｃ線短絡事故電流
ＩL  負荷線短絡事故電流
Ｉ0A1，Ｉ0A2  第１および第２の電源線零相電流
Ｉ0B  Ｂ線零相電流
Ｉ0C  Ｃ線零相電流
Ｉ0L  負荷線零相電流
ＶG  母線事故電圧
Ｖ0  零相電圧
Ｓa〜Ｓm  第１乃至第Ｍの電源線事故電流情報
Ｓ1〜ＳN  第１乃至第Ｎの線路事故電流情報
ＳA1，ＳA2  第１および第２の電源線事故電流情報
ＳB  Ｂ線事故電流情報
ＳC  Ｃ線事故電流情報
ＳL  負荷線事故電流情報
ＳTR  トリップ指令信号
Ｔa〜Ｔm  第１乃至第Ｍの電源線トリップ信号
Ｔ1〜ＴN  第１乃至第Ｎの線路トリップ信号
ＴA1，ＴA2  第１および第２の電源線トリップ信号
ＴB  Ｂ線トリップ信号
ＴC  Ｃ線トリップ信号
ＴL  負荷線トリップ信号
【図１】
2011182547.tif 000005
【図２】
2011182547.tif 000006
【図３】
2011182547.tif 000007
【図４】
2011182547.tif 000008
【図５】
2011182547.tif 000009
【図６】
2011182547.tif 000010
【図７】
2011182547.tif 000011
【図８】
2011182547.tif 000012